(57)【要約】【課題】装置の駆動が停止した場合でも、引き入れられたメディアを取り出すことが可能なメディア再生装置を提供する。【解決手段】メディアを本体内部に引き入れて、同メディアの再生を行うメディア再生装置において、前記メディアの前記本体への引き入れ、又は同本体からの引き出しを行う駆動手段を備えるドライブ部と、当該メディア再生装置の各部に電源を供給する電源回路と、前記電源回路から前記各部に供給される電源を監視しており、前記ドライブ部への電源供給以外の電源供給異常が検出された場合は、前記ドライブ部へ前記駆動手段による前記メディアの引き出しを実行させる制御部と、を有する。【選択図】図１
2012203976.tif 000002
【特許請求の範囲】
【請求項１】
メディアを本体内部に引き入れて、同メディアの再生を行うメディア再生装置において、
前記メディアの前記本体への引き入れ、又は同本体からの引き出しを行う駆動手段を備えるドライブ部と、
当該メディア再生装置の各部に電源を供給する電源回路と、
前記電源回路から前記各部に供給される電源を監視しており、前記ドライブ部への電源供給以外の電源供給異常が検出された場合は、前記ドライブ部へ前記駆動手段による前記メディアの引き出しを実行させる制御部と、を有することを特徴とするメディア再生装置。
【請求項２】
前記制御部は、前記ドライブ部へ前記駆動手段による前記メディアの引き出しを実行させた後、前記電源回路の駆動を停止させることを特徴とする請求項１に記載のメディア再生装置。
【請求項３】
前記制御部は、前記ドライブ部への電源供給以外の電源供給の異常が検出された場合は、前記ドライブ部に前記駆動手段による前記メディアの引き出しを実行させつつ、前記電源回路に前記ドライブ部以外の電源供給を停止させることを特徴とする請求項２に記載のメディア再生装置。
【請求項４】
前記ドライブ部は、メディアの有無を検出する検出手段を備えており、
前記制御部は、前記ドライブ部にメディアが存在する場合にのみ、前記駆動手段による前記メディアの引き出しを実行させることを特徴とする請求項１〜請求項３のいずれか一項に記載のメディア再生装置。
【請求項５】
所定の文字列を表示する表示部を備え、
前記制御部は、前記ドライブ部へ前記駆動手段による前記メディアの引き出しを実行させる際、前記表示部にエラーを表示させることを特徴とする請求項１〜請求項４のいずれか一項に記載のメディア再生装置。
【発明の詳細な説明】
【技術分野】
【０００１】
本発明は、メディアを本体内部に引き入れて同メディアの再生を行うメディア再生装置に関する。
【背景技術】
【０００２】
従来、ＤＶＤディスク(Digital Versatile Disk)やブルーレイディスク（Blu-ray Disc:登録商標）といったメディアを再生するメディア再生装置が知られている。このようなメディア再生装置では、メディアを本体内部に引き入れるローダー部等の駆動手段や、引き入れられたメディアにアクセスを行うドライブ部、更には各部に対して電源の供給を行う電源回路を備えている。
【０００３】
また、メディア再生装置において、何らかの部位の故障が生じた場合に、メディア再生装置の駆動を停止させることで、各部を破損から保護する機能を備えるものが開示されている（例えば、特許文献１−５参照）。
【先行技術文献】
【特許文献】
【０００４】
【特許文献１】特開２００７−２９３９９３号公報
【特許文献２】特開２００７−０９５１２５号公報
【特許文献３】特開２００５−２８５１５９号公報
【特許文献４】特開２００４−１７１６４５号公報
【特許文献５】特開平０８−１３８２５０号公報
【発明の概要】
【発明が解決しようとする課題】
【０００５】
上記したメディア再生装置において、電源回路から各部への電源供給が不良となると、この電源回路の駆動を停止する機能を備えるものがある。このようなメディア再生装置では、電源回路の駆動が停止すると、ドライブ部に対しても電源供給が停止されるため、本体内部に引き入れられたメディアを取り出すことが難しくなる。そのため、一度、引き入れられたメディアを取り出すには、メディア再生装置を分解する等して、取り出すしか方法がなかった。
【０００６】
本発明は、上記課題にかんがみてなされたもので、装置の駆動が停止した場合でも、引き入れられたメディアを取り出すことが可能なメディア再生装置の提供を目的とする。
【課題を解決するための手段】
【０００７】
上記課題を解決するために、本発明では、メディアを本体内部に引き入れて、同メディアの再生を行うメディア再生装置において、前記メディアの前記本体への引き入れ、又は同本体からの引き出しを行う駆動手段を備えるドライブ部と、当該メディア再生装置の各部に電源を供給する電源回路と、前記電源回路から前記各部に供給される電源を監視しており、前記ドライブ部への電源供給以外の電源供給異常が検出された場合は、前記ドライブ部へ前記駆動手段による前記メディアの引き出しを実行させる制御部と、を有する構成としてある。
【０００８】
上記のように構成された発明では、制御部は、電源回路から各部に供給される電源を監視しており、ドライブ部への電源供給以外の電源供給異常が検出された場合は、ドライブ部へ駆動手段によるメディアの引き出しを実行させる。
そのため、電源供給異常が発生した場合に、メディアを確実に取り出すことが可能となる。
【発明の効果】
【０００９】
以上説明したように、本発明によれば、電源供給異常が発生した場合に、メディアを確実に取り出すことができる。
【図面の簡単な説明】
【００１０】
【図１】メディア再生装置１の構成を説明するためのブロック構成図である。
【図２】メディア再生装置１における電源供給異常にともなう停止を説明するフローチャートである。
【発明を実施するための形態】
【００１１】
以下、下記の順序に従って本発明の実施形態を説明する。
１．第１の実施形態：
２．その他の実施形態：
【００１２】
１．第１の実施形態： 
以下、図を参照して、この発明に係るメディア再生装置を具体化した第１の実施の形態について説明する。図１は、メディア再生装置１の構成を説明するためのブロック構成図である。
【００１３】
本実施形態では、メディア再生装置１は、ブルーレイディスク（「ブルーレイ」は登録商標）を再生可能なメディアプレイヤーであり、制御基板１０と、ドライブユニット（ドライブ部）２０と、電源回路３０と、操作パネル４０とを備えて構成されている。
【００１４】
電源回路３０は、図示しない商用電源とプラグを介して接続し、この商用電源から供給されたＡＣ電源をＤＣ電源に変換して、各部に出力する。本実施形態では、電源回路３０は、ＡＣ１００Ｖを、所定のＤＣ電源に変換するメイン電源生成部３１と、このメイン電源生成部３１が変換したＤＣ電源を昇圧又は降圧して所定のＤＣ電源を生成する第１のＤＣ・ＤＣ変換回路３２、第２のＤＣ・ＤＣ変換回路３３、第３のＤＣ・ＤＣ変換回路３４、及び第４のＤＣ・ＤＣ変換回路３５を備えて構成される。ここで、第１のＤＣ・ＤＣ変換回路３２は、メインマイコン用１２Ｖ電圧を生成する回路である。また、第２のＤＣ・ＤＣ変換回路３３は、メインマイコン用５．０Ｖ電圧を生成する回路である。そして、第３のＤＣ・ＤＣ変換回路３４は、ドライブユニット用１２Ｖ電圧を生成する回路である。さらに、第４のＤＣ・ＤＣ変換回路３５は、ドライブユニット用５．０Ｖ電圧を生成する回路である。
【００１５】
ドライブユニット２０は、メディアに記録されたデーターの読み出し又は書込みを行う光ヘッド２１や、メディアＭを回転させるスピンドルモーター２２、メディアが載置されるトレイ２３、同トレイ２３をドライブユニット２０内部へ引き入れるローダーユニット（駆動手段）２４、更にはドライブユニット２０各部の制御を行うドライブユニット用制御基板２５と、を備えて構成されている。さらに、トレイ２３には載置されたメディアを検出するためのメディア検出センサー（検出手段）２６が配置されており、メディア検出センサー２６がメディアＭを検出すると、検出信号がドライブユニット用制御基板２５へ出力される。本実施形態では、ローダーユニット２４は、電源回路３０から供給される電源（ドライブユニット用１２Ｖ電圧）によりローダーモーターを駆動させてトレイ２３（メディアＭ）の引き入れ、及び引き出しを行う。また、引き入れられたメディアＭは、スピンドルモーター２２により回転しつつ、光ヘッド２１によりデーターのアクセスが行われる。
【００１６】
制御基板１０は、所定の回路パターンやＩＣ等を搭載して実現される回路基板であり、メインマイコン１１と、サブマイコン（制御部）１２と、電源コネクター１３と、電源異常検出回路１４と、を備えて構成されている。
【００１７】
メインマイコン１１は、ＣＰＵや、ＲＯＭ及びＲＡＭを備えて構成され、メディア再生装置１における統合的な制御を行う。本実施形態では、例えば、メインマイコン１１は、ＲＯＭに記録されたプログラムや、操作パネル４０を通じて入力された入力信号に応じてドライブユニット２０を制御する。
【００１８】
電源コネクター１３は入力側で電源回路３０の各出力端子に接続され、出力側でメインマイコン１１及びドライブユニット２０に通じる入力ラインＬ１〜Ｌ４にそれぞれ接続されている。そのため、電源回路３０の各出力端子から供給された電源（メインマイコン用１２Ｖ電圧、メインマイコン用５．０Ｖ電圧、ドライブユニット用１２Ｖ電圧、ドライブユニット用５．０Ｖ）は、この入力ラインＬ１〜Ｌ４を通じて、メインマイコン１１や、ドライブユニット２０に供給される。
【００１９】
サブマイコン１２は、ＣＰＵやＲＯＭ及びＲＡＭを備えて構成され、同電源回路３０から供給される電源の異常を電源異常検出回路１４を通じて監視するとともに、異常の態様に応じて制御ラインを通じて電源回路を制御する。本実施形態では、サブマイコン１２の異常検出ポートは、電源異常検出回路１４を介して、各入力ラインＬ１〜Ｌ４に接続されている。また、電源異常検出回路１４は、カソード側で各入力ラインに接続され、アノード側でサブマイコン１２の異常検出ポートに接続されたダイオードＤ１〜Ｄ４を備えて構成されている。さらに、ダイオードＤ１〜Ｄ４のアノード側は５．０Ｖの電圧でプルアップされている。そのため、入力ラインに流れる電圧が低下した場合、各ダイオードＤ１〜Ｄ４に接続された異常検出ポートに供給される電圧が低下するため、サブマイコン１２は電源の供給異常を検出することができる。そして、サブマイコン１２は、電源回路３０の異常を検出した場合に、制御ラインからの信号により電源回路３０に対して各部の駆動を停止させる。
【００２０】
さらに、サブマイコン１２は、ドライブユニット２０のドライブユニット用制御基板２５と接続されており、メディア検出センサー２６がメディアＭを検出すると、ドライブユニット用制御基板２５を通じてこの検出信号を受信する他、ローダーユニット２４に対してトレイ２３の引き出し又は引き入れを命令することができる。
【００２１】
上記のように構成されたメディア再生装置１において、サブマイコン１２が電源回路３０からの各電源の供給異常を検出した場合、電源回路３０の駆動を停止させて電源回路３０から制御基板１０に異常な電源等が供給されるのを防止する（以下、このような動作を電源供給異常にともなう停止とも記載する）。本実施形態では、電源供給に伴う停止が行われた場合に、この異常がドライブユニット２０への電源供給の異常でない場合は、ドライブユニットの駆動を一時的に確保し、メディアを自動で引き出す動作を行う。
【００２２】
図２は、メディア再生装置１における電源供給異常にともなう停止を説明するフローチャートである。以下、図２を参照して、本メディア再生装置１に係る電源供給異常にともなう停止を説明する。
【００２３】
サブマイコン１２は、電源異常検出回路１４を通じて電源供給異常を監視しており、異常が検出された場合（ステップＳ１：ＹＥＳ）、サブマイコン１２は、供給異常がどのラインの異常であるかを判断する（ステップＳ２）。上記のように、サブマイコン１２は、各異常検出ポートを通じて供給される電圧の電圧値を監視しているため、例えば、入力ラインＬ１、Ｌ２の電圧値が低下している場合は、メインマイコン１１への電源供給の異常であると判断する。また、サブマイコン１２は、入力ラインＬ３、Ｌ４の電圧値が低下している場合は、ドライブユニット２０への電源供給異常であることを判断する。
【００２４】
ステップＳ３では、電源供給異常が、ドライブユニット２０に対応するものでない場合は（ステップＳ３：ＹＥＳ）、サブマイコン１２は電源回路３０に対して、ドライブユニット２０以外に供給する電源の供給を停止させる（ステップＳ４）。本実施形態では、サブマイコン１２は、第１のＤＣ・ＤＣ変換回路３２及び第２のＤＣ・ＤＣ変換回路３３の駆動を停止させてメインマイコン用１２Ｖ電圧及びメインマイコン用５．０Ｖ電圧のメインマイコン１１への供給を停止させる。ステップＳ４に係る電源の供給停止は、ドライブユニット２０以外の回路（本実施形態ではメインマイコン１１）を保護するために実行される。
【００２５】
一方、電源供給異常が、ドライブユニット２０へ供給される電圧（ドライブユニット用１２Ｖ電圧、ドライブユニット用５．０Ｖ電圧）である場合は（ステップＳ３：ＮＯ）、サブマイコン１２はメイン電源生成部３１の駆動を停止させる（ステップＳ５）。ステップＳ５に係る電源供給の停止は、ドライブユニット２０を含めた全ての回路を保護する観点から電源回路３０からのすべての電源供給を停止させる。
【００２６】
そして、ステップＳ６では、サブマイコン１２はドライブユニット２０のドライブユニット用制御基板２５に対して、ローダーユニット２４を駆動させる制御命令を出力する。そのため、ドライブユニット用制御基板２５は、ドライブユニット２０に対して電源回路３０からの供給が維持されたドライブユニット用１２Ｖ電圧によりローダーモーターを駆動させてトレイ２３（メディア）を引き出させる。
また、この状態において、ローダーユニット２４に備えられたメディア検出センサー２６によりメディアが検出されない場合は、ローダーユニット２４によるトレイ２３の引き出しを行わない構成としてもよい。
【００２７】
さらに、ステップＳ７では、サブマイコン１２は、操作パネル４０の表示部に対してエラー通知を表示させる。このエラー通知は、トレイ２３が自動で引き出されている原因を利用者に通知するためのものである。
【００２８】
利用者が引き出されたトレイ２３からメディアＭを取り出した場合は（ステップＳ８：ＹＥＳ）、メディア検出センサー２６の検知により、サブマイコン１２に信号が出力され、サブマイコン１２はドライブユニット用制御基板２５に対してトレイ２３を引き入れさせる（ステップＳ９）。そのため、ローダーユニット２４はトレイ２３を引き入れる。
【００２９】
さらに、サブマイコン１２は、電源回路３０に対して、残りの電源供給（ドライブユニット用１２Ｖ電圧、ドライブユニット用５．０Ｖ電圧）を停止させる（ステップＳ１０）。そのため、電源回路３０は駆動を停止する。
【００３０】
以上説明したように、この第１の実施形態では、電源回路３０からの電源供給異常が発生した場合でも、その異常がドライブユニット２０に係るものでない場合は、利用者にメディアＭを取り出させることが可能となる。
【００３１】
２．その他の実施形態：
図２のステップＳ８において、トレイ２３からメディアＭが取り出されることなく、利用者が再度トレイ２３を引き入れた場合に、サブマイコン１２がメディア検出センサー２６によるメディアＭの検出に基づいてこの状態を検知して、再度、トレイ２３を引き出させる構成としてもよい。上記構成とすることで、電源供給異常に伴う停止を行う際に、確実にメディアＭを取り出すことが可能となる。
【００３２】
メディア再生装置１として、メディアプレイヤーを例に説明を行うことは一例であり、メディア再生装置１を実現する製品として、同メディア再生装置１の構成を備える表示装置であってもよい。
また、ドライブユニット２０は、メディアＭをトレイ２３に載置させた状態で同メディアＭを引き入れるものに限定されない。例えば、メディアを挿入口から挿入させることで、ローダーユニットによりメディアが直接引き入れられる構成であってもよい。
【００３３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３４】
１…メディア再生装置、１０…制御基板、１１…メインマイコン、１２…サブマイコン、１３…電源コネクター、１４…電源異常検出回路、２０…ドライブユニット、２１…光ヘッド、２２…スピンドルモーター、２３…トレイ、２４…ローダーユニット、２５…ドライブユニット用制御基板、２６…メディア検出センサー、３０…電源回路、３１…メイン電源生成部、３２…第１のＤＣ・ＤＣ変換回路、３３…第２のＤＣ・ＤＣ変換回路、３４…第３のＤＣ・ＤＣ変換回路、３５…第４のＤＣ・ＤＣ変換回路、４０…操作パネル
【図１】
2012203976.tif 000003
【図２】
2012203976.tif 000004